Podtech/llm-jp-corpus-v4-ja_patent huggingface dataset:
(57)【要約】      （修正有）【課題】従来の百人一首と同様に楽しむことが可能で、歴史上の人物を発見する楽しみに興味を持つ事が出来る辞世の句百人一首かるたを提供する。【解決手段】百人一首の札に表示する内容を現状の和歌のかわりに歴史上の人物の辞世の句に作り変えて作成する。【選択図】なし【特許請求の範囲】
【請求項１】
百人一首の札を現状の和歌のかわりに歴史上の人物の辞世の句に変えて作る
【発明の詳細な説明】
【発明の詳細な説明】
【技術分野】
【０００１】この発明は百人一首の現状の札の和歌を歴史上の人物の残した辞世の句で作り変えた辞世の句百人一首かるたに関するものである。
【背景技術】
【０００２】従来の百人一首は作られた時代に優れていると評価された和歌を選んだ物であった。
【発明が解決しようとする課題】
【０００３】これは次のような欠点があった。
当時に評価された和歌なので現在の人には思い入れが当時より希薄で詠み人も一般の人にはなじみが薄くかるた遊びに興味を持ちにくかった。
本発明は以上のような欠点を除くためになされたものである。
【課題を解決するための手段】
【０００４】百人一首の札を現状の和歌のかわりに歴史上の人物の辞世の句によって作り変える。
本発明は、以上のような構成よりなる辞世の句百人一首かるたである。
【発明の実施と形態】
【０００５】以下、本発明の実施の形態について説明する。
戦国武将や幕末志士のみならず性別や時代も問わず、歴史上に名を残した人物たちが残した辞世の句とされるものを現状の百人一首の札の和歌のかわりに作り変える。
本発明は以上のような構造で、これを使用するときは、百人一首と同様の使い方を楽しめる。
【発明の効果】
【０００６】歴史上の人物が残した辞世の句は、とりわけ歴史ファンにとっては歴史上の人物の、ひととなりやその時の思いが感じることができ、句に思い入れが持てるものであり、また本発明品を使うことで今まで知らなかった辞世句を知り句の内容から新たに興味の持てる歴史上の人物を発見できる。
(57)【要約】【課題】従来は、容器で水などの液体を熱したとき、沸点になると容器内上部で噴きあがったり、噴きこぼれたりすることが見られたし、容器内側面に組み入れる回転対流変換器は一つ一つの容器にあった大きさや形状の容器を揃える必要があり不便であった。【解決手段】これまで、容器内の水などを熱したとき、容器のみの使用では噴き上げや、噴きこぼれが生じていた、又、容器内側面に使用する回転対流変換器では、使用する容器の大きさや形状事に回転対流変換器が必要であるため、一つの回転対流変換器でどの様な大きさや形状の容器にでも使用し使い回しも出来るよう、設置パイプで容器内底部に．入れ置くことで容器内上部での噴き上がりや、噴きこぼれも防ぐことが出来る円柱状回転対流変換器として提供し使用することが出来る。【選択図】図１
2014158642.tif 000002
【特許請求の範囲】
【請求項１】
容器で水などの液体を熱したとき、容器底部の熱により容器内底部から上昇対流が発生し、容器内上部での噴き上げや、噴きこぼれをおこす状態を防ぐために、色々な大きさや形状の容器に関係なく、一つの対流変換器を使用し使い回しが出来るようにと、金属やセラミック又、耐熱性シリコン等で出来た円柱状回転対流変換器でプロペラのように多くの羽根を中心軸に対して斜めの角度を付け組み込み、下部から上部方向には下部を軸に円を描いた羽根を組み込んだ対流変換器を、容器内底部に設置パイプで入れ置く事で容器底部の熱源により熱せられることで容器内底部より上昇対流が発生するので、その上昇対流を容器内底部に入れ置かれた円柱状回転対流変換器の角度の付いた羽根により回転対流へと誘導変換する事で、容器内の水などの液体は徐々に回転運動を起こし回転対流に変換されることで容器内上部での噴き上げや、噴きこぼれを防ぐための器具として使用できる簡易式円柱状回転対流変換器。
【発明の詳細な説明】
【技術分野】
【０００１】この発明は、今までは容器内に入った水などの液体を熱したとき、容器の下からの熱で容器内に上昇対流が生じて水などの液体が、容器内上部で噴きあがったり、噴きこぼれたりする状態となるため、その上昇対流をプロペラ状の羽根により出来た対流変換器を容器内底部に置き入れることで、熱により生じる上昇対流を対流変換器の角度の付いた羽根により回転対流に変換し容器内上部での水などの液体が、噴き上がりや、噴きこぼれる状態を防ぐことが出来るように、又、どの様な大きさや形状の容器にでもこれ一つで使用することが出来る簡易式円柱状対流変換器。
【背景技術】
【０００２】現在、容器内の水などの液体を熱したとき、容器内底部の熱により上昇対流が発生して容器内上部で噴き上げや、噴きこぼれる状態が見られた、又、容器内壁面にラセン状の羽根の付いた容器をいれて回転対流に変換する容器は見られたが、容器の大きさや形状に合った内容器が必要なため、一つの対流変換器でどの様な大きさや形状の容器にでも使用できる簡単な対流変換器が望まれていた。
【発明の概要】
【発明が解決しようとする課題】
【０００３】これまでは、次のような欠点があった、これまでは容器で水などの液体を熱したときに容器内の温度が上昇すると噴き上がりや、噴きこぼれる状態となるため、この状態を改善するために容器内側面にラセン状に羽根が付いた円状の容器を新たに組み入れることで、回転対流が発生し噴き上がりや、噴きこぼれを防ぐことは出来たが、色々の大きさや形状に合った内容器が容器事に必要であるため、どの様な大きさや形状の容器にも一つの対流変換器で使用でき、使い回しが出来るようにと考えられたものである。
【課題を解決する為の手段】
【０００４】これまでのように、色々の大きさや形状の容器で水などの液体を熱した時、回転対流に変換できる円柱状対流変換器を容器内底部で使用することで、容器の大きさや形状に合った側面用回転体流変換器を個々の容器事にそろえることなく、色々の大きさや形状の容器にも使え一つで使い回しが出来る、軸を中心に角度を付けて羽根を取り付けた回転対流変換器を、容器内底部に設置することで容器内上部での噴き上げや、噴きこぼれを防ぐ事が出来る円柱状対流変換器。
【発明の効果】
【０００５】色々な形状の容器で水などの液体を熱したとき、どの様な大きさや形状の容器でも、円柱状回転対流変換器を使用することで、色々の大きさや形状の容器事に側面式対流変換器を一つ一つ揃えることなく、一つの回転体流器でどの様な大きさや形状容器にでも関係なく使用出来ることを提供することが出来る。
【図面の簡単な説明】
【０００６】
【図１】水などの液体を入れる容器立面図
【図２】円柱状回転対流変換器正面図
【図３】円柱状回転対流変換器立面図
【図４】回転対流変換器羽根拡大図
【発明を実施する為の形態】
【０００７】以上、本願発明の実施の形態について説明する。
容器で水などの液体を熱するとき、色々の大きさや形状の容器があるがどの様な容器にでも、一つの回転対流変換器を使い回して使用できるようにと円柱状回転体流変換器を容器内底部に置くことで、容器の下からの熱により容器内底部に上昇対流が発生するので、その発生する上昇対流を円柱状回転対流変換器に組み込まれたプロペラの角度の付いた羽根により、回転対流に変換されることで容器内の水などの液体が回転を始めることにより、容器内上部での噴き上げや、噴きこぼれを防ぎ使用する製品として提供することが出来る。
【符号の説明】
【０００８】▲１▼水などの液体を入れる容器
▲２▼円柱状回転対流変換器
▲３▼変換器軸
▲４▼変換器羽根
▲５▼円柱状回転対流変換器設置パイプ
▲６▼パイプの容器止めフック
▲７▼回転体流変換器軸上部
▲８▼回転対流変換器軸下部
【図１】
2014158642.tif 000003
【図２】
2014158642.tif 000004
【図３】
2014158642.tif 000005
【図４】
2014158642.tif 000006
(57)【要約】      （修正有）【課題】ゴルフパターの複数の角度調整装置及び可動範囲設定機能付きゴルフパター装置を提供する。【解決手段】ゴルフパターの角度を調整するため、ピン８及びピン穴５を複数設けてそのピン穴５間の巾を可動範囲として調整する。又、シャフト取付け部は円柱型をしたシャフト取付け回転軸２になっており、しかも複数の穴を有しその各穴を利用しシャフト３の角度調整後に台座１にネジで固定することができる装置で、この台座１の寸法は縦１４ｍｍ〜２５ｍｍ横１５ｍｍ〜２９ｍｍ巾８ｍｍ〜１７ｍｍが適当である。【選択図】図１
2014158644.tif 000002
【特許請求の範囲】
【請求項１】
ゴルフパターに関して，ライ角度、ロフト角度、フェース角度がある。
各角度の可動範囲を調整する方法としてピン及びピン穴を複数設けてそのピン穴間の巾を可動範囲として調整する装置である。
又、シャフト取付け部は円柱型をした回転軸になっており、しかも複数の穴を有しその各穴を利用しシャフトの角度調整後に台座にネジで固定することができる装置であり、この台座の寸法は縦１４ｍｍ〜２５ｍｍ横１５ｍｍ〜２９ｍｍ巾８ｍｍ〜１７ｍｍが適当である。
又、この装置を従来型のゴルフパターに取付ることでシャフトの角度調整が可能となる。
【請求項２】
シャフトの取付け部と台座の間に変形スペーサー又は、カム機構を取り付けることで複数の角度が調整可能となる。
【発明の詳細な説明】
【技術分野】
【０００１】      本発明は、ゴルフパターの複数の角度調整装置及び可動範囲設定機能付き部品を提供する。
【背景の技術】
【０００２】      ゴルフパターの角度調整において従来方法はパターを角度測定器付専用の台座に固定し角度を計りながら特殊治具を使用し手動操作でシャフト又は、ネック部を曲げて調整していた。
【発明の概要】
【発明が解決しようとする課題】
【０００３】      ゴルフパターの角度調整する場合には調整箇所のシャフト又は、ネック部を曲げて調整する必要がありそれには専門技術が要求される。
そこで特殊治具を使用しないで容易に角度調整が可能な方法が望まれている。
【課題を解決するための手段】
【０００４】      ゴルフパターのシャフト取り付け部に本発明の部品を取付けることで複数の角度調整機能及び可動範囲調整が可能な装置を提供する。
【発明の効果】
【０００５】      ゴルフプレイヤーに対してライ角度の合ったパターを提供することで技術の向上につながるが、各自に合った角度でオーダーメイドするには高価なものとなる。
【図面の簡単な説明】
【０００６】
【図１】本発明の実施例装置を示す側面の断面図である。
【図２】本発明の実施例装置を示す正面図である。
【図３】本発明の実施例装置を示す裏面図である。
【図４】本発明の実施例でピンを使用した可動範囲調整装置の動作図である。
【図５】本発明の実施例でピンを使用した可動範囲調整装置の動作図である。
【図６】本発明の実施例でピンを使用した可動範囲調整装置の動作図である。
【図７】本発明の装置をゴルフパターに取付けた実施例である。
【符号の説明】
【０００７】１．    角度調整装置の台座
２．    シャフト取付け回転軸
３．    シャフト
４．    ピンの軌道線
５．    ピン穴
６．    ピン穴
７．    回転軸固定用ネジ穴
８．    ピン
９．    ピン
１０．  ピン
１１．  スプリング
１２，  回転軸角度調整用穴
【発明を実施するための形態】
【０００８】  以下、図面に基づいて、本発明の実施形態である角度調整及び可動範囲調整装置について説明する。
図１は、本発明の実施形態であり側面の断面図であるシャフト取付け回転軸２が角度調整装置の台座１に接合された状態にあり角度調整装置の台座１に設けられたピン穴５にピン８が挿入されシャフト取付け回転軸２がロツクされた状態にある。
【０００９】  図２は実施形態の正面図である。
シャフト取付け回転軸２と角度調整装置の台座１の円周に少し隙間をとってあり回転を容易にしている。
又、複数の穴は回転軸角度調整穴１２でありシャフトで角度調整後にいずれかの穴にネジを挿入して角度調整装置の台座１にネジで固定する。
【００１０】  図３は実施形態の裏面図である。
角度調整装置の台座１にある複数のネジ穴はシャフトの角度調整後に回転軸角度調整穴１２を止めるネジ穴である。
【００１１】  図４は可動範囲調整装置の動作説明図である。
角度調整装置の台座１にピン穴５とピン穴６があり双方の間が可動領域になっている。
ピン穴を結ぶ軌道線４を描がいている。又、シャフト位置はピン穴５の方向にある。
図４−２は角度調整装置の台座１にあるピン穴５にピン８が挿入しており、したがってピンはロックされた状態にある。
尚、スプリング１１はピン８を押出した状態である。
図４−３はシャフト取付け回転軸２からピン８が突出している。
【００１２】  図５は可動範囲調整装置の動作説明図である。
角度調整装置の台座１にピン穴５とピン穴６があり双方のピン穴を結ぶピンの軌道線４を描いている。
図５−２はシャフト３をピン穴６の方向に動かすとシャフト取付け回転軸２が連動して回転運動をする。
図４−２にあるピン８がピン穴５の傾斜に添って動くとピン８が押えられてスプリング１１が収縮してピン９がシャフト取付け回転軸２内に収納されたピン９は双方向えの動きが可能となる。
図５−３はシャフト取付け回転軸２にピン９が納まっている。
【００１３】  図６は可動範囲調整装置のピン動作説明である。
角度調整装置の台座１にピン穴５とピン穴６があり双方のピン穴を結ぶピン軌道線４が描かれている。
図６−２は図５−２にあるピン９が軌道線４に添って動くと角度調整装置の台座１にあるピン穴６にはまってピン１０のスプリング１１が伸びてピン１０が突出しロックされた状態である。
図６−３はシャフト取付け回転軸２からピン１０が突出ている。
尚、スプリング１１はピン１０を押した状態にある。
図４−３はシャフト３取付け回転軸からピン１０が突出ている。
【図１】
2014158644.tif 000003
【図２】
2014158644.tif 000004
【図３】
2014158644.tif 000005
【図４】
2014158644.tif 000006
【図４−２】
2014158644.tif 000007
【図４−３】
2014158644.tif 000008
【図５】
2014158644.tif 000009
【図５−２】
2014158644.tif 000010
【図５−３】
2014158644.tif 000011
【図６】
2014158644.tif 000012
【図６−２】
2014158644.tif 000013
【図６−３】
2014158644.tif 000014
(57)【要約】【課題】  本発明は、食感に優れ、喉越しの良い米粉を用いた麺類を製造する時、米粉に澱粉と蒟蒻粉を加えることにより、これを改善する製法が持つ酸による前処理或いは、アルカリ性添加物の添加をせず、麺類を製造する製法を得、麺用混合粉・生麺・半生麺・乾麺・冷凍麺・ゆで麺・ラーメンの製造法を得ることにある。【解決手段】本発明は、米粉に澱粉と、蒟蒻のみで成り立ち、他の添加物を必要とせず麺用混合粉或いは、麺用生地の製法と、麺用混合粉を用いて製造する、生麺、半生麺、乾麺、冷凍麺、ゆで麺、ラーメンの製法、或いは、蒟蒻芋を用いて得る湿潤状態の麺用生地の製造とこれを茹でて得る麺の製法が構成要件で米粉麺類の製造方法を構成する。米粉麺類の製造方法【選択図】なし【特許請求の範囲】
【請求項１】
米粉を用いる麺類の製造において、米粉に澱粉と、蒟蒻とを加えた麺用混合粉の製造
【請求項２】
麺用混合粉を用いて製造する、生麺、半生麺、乾麺、冷凍麺、ゆで麺、ラーメンの製造
【請求項３】
蒟蒻芋を用いて得る湿潤状態の麺用生地の製造とこれを茹でて得る麺の製造
【発明の詳細な説明】
【技術分野】
【０００１】  米粉うどんの食味特に感触改善についての取り組みは数多くみられる。本発明は、米粉を麺類に加工するときに食味改善のために添加する蒟蒻精粉あるいは、蒟蒻芋をただ添加するのみであり、麺類を作るときに複雑な操作をする事無く、或いはアルカリ性化合物を加えることなく、原料混合粉に水を加えて練り、熱水で茹でるだけで食感が良く喉越しの良い米粉麺類を作ることのできる技術を確立した。また、蒟蒻芋を用いるときは、所定量の米粉と澱粉に蒟蒻芋摩砕物を加えて混粘し、裁断後茹でることで食感が良い米粉麺を得る技術を得た。
【背景技術】
【０００２】  近年、小麦によるアレルギー症が問題となり、小麦に代わる材料が求められている。一方、コメの消費拡大の観点から米粉の食品への加工技術が注目され多くの取り組みがなされている。これらの観点から、米粉のうどんについても多く試みがなされている。米粉のみで加工する方法から始まり、米粉に澱粉を添加し加工する方法、米粉に小糖類や多糖類を添加加工する方法、本発明と同様米粉に蒟蒻粉を添加し加工する方法もある。
【先行技術文献】
【０００３】
【特許文献１】特開平０７−３２７６２２
【特許文献２】特開２００７−１４３４５１
【特許文献３】特開２００９−８９６６７
【特許文献４】特開２０１２−１９７７１
【発明の概要】
【０００４】米粉を用いてうどん、ラーメンなどの麺を製造するに当たり、小麦由来アレルゲンを含まない小麦澱粉以外の植物澱粉と、蒟蒻芋あるいは、蒟蒻粉とを加えることによりゆでる時間を短縮し、食感がよく、喉越し感の良い麺の製造を可能にした。
【発明が解決しようとする課題】
【０００５】米粉を用いた麺類の製造において、米粉を用いた麺類は、小麦粉を用いる麺類との食感及び喉越し感が大きく異なる。これを解決するために種々の工夫がされ、いくつかの特許申請がなされている。この中には蒟蒻粉を用いた申請もある。しかし、蒟蒻粉を使用するに当たり、前処理として、カルシウム剤による凝固処理が必要であったり、酸による部分分解して用いるなど、操作が複雑である。
本発明は、米粉に澱粉と、蒟蒻とを混合するだけで、誰もが容易に食味の良い麺類が製造可能となる。本発明は、原料混合粉を麺類製造原料として流通させることができるのみでなく半生麺、生麺、冷凍麺，ゆで麺、乾麺、などの多形態の商品化を実現可能にする。
【課題を解決するための手段】
【０００６】米粉に澱粉と蒟蒻（好ましくは、蒟蒻精粉であり、蒟蒻芋も使用可能）を混合することにより解決した。
【発明の効果】
【０００７】本発明により、食感並びに喉越しが良く、ゆでた後もこれらの食味を長時間維持できることを見出した。また、半生麺、生麺、乾麺、冷凍麺としても有用であることが判明した。
【発明を実施するための形態】
【０００８】米粉９４部から４５部と澱粉５部から４０部と蒟蒻粉（精粉換算値として）１部から４０部とを混合して得る麺用混合粉好ましくは、米粉５５部から６０部と蒟蒻精粉５部から１０部さらに澱粉３０部から４０部、これに水などを加えて作る生麺、冷凍麺、半生麺、乾麺、ゆで麺、ラーメンの形態の製造法
【実施例１】
【０００９】米粉５８部、蒟蒻精粉９部、馬鈴薯澱粉３３部を混合し麺用混合粉を得る。この混合粉は、冷蔵により長期保存が可能である。当然のことながら室温での保存にも十分に耐えられる。
【実施例２】
【００１０】米粉２８部、蒟蒻精粉４部、サツマイモ澱粉１６部、水５２部を混練し、３ミリ厚に延ばし３ミリ幅に切る。これを沸騰水で約２分間茹でてゆで麺を得る。このゆで麺は、常温に保存し、２４時間後にも食感を保った。
【実施例３】
【００１１】実施例２で示した麺状に切断した生麺を４５℃で通風乾燥し、水分２１パーセントまで乾燥した。これを通気性の低いポリ袋に入れ、脱酸素剤を同封して真空包装して半乾麺を得る。また、切断した生麺を凍結することにより冷凍麺を得ることも可能であった。又、風乾して、乾麺を得た。
【実施例４】
【００１２】ミキサーに水３７部と皮をむいた蒟蒻芋１８部とを加え２分間処理する。これに米粉３０部に馬鈴薯澱粉１４部
を練りこむ。薄く延ばして裁断し、熱湯で茹でてゆで麺を得た。
【実施例５】
【００１３】米粉３０部、タピオカ澱粉１８部、蒟蒻精粉２部、水５０部を混合し、１夜静置する。その後圧延し、麺状に裁断し茹でて米粉うどんを得た。
【実施例６】
【００１４】  米粉５８部、蒟蒻精粉９部、馬鈴薯澱粉３３部を混合して得る麺用混合粉６３部に市販鹹水１３部、水２４部を加え、混練し、裁断し茹でて米粉ラーメンを得た。
【産業上の利用可能性】
【００１５】本発明の麺用混合粉は、製麺作業において、作業性に優れ、扱いやすい形態の製品であり、食感の優れている製品が製造できることは、消費者に受け入れやすいのみでなく、麺類加工業者にも受け入れやすい。今回開発した麺類は、上述の理由により米粉消費拡大に貢献するものと信じる。
(57)【要約】      （修正有）【課題】植物に灌水するとき（植木鉢などに）一般では蛇口を少し開栓して（水圧がかからない程度）ホース口より灌水していたものを真空式灌水器にて真空にして蛇口の水量を全開又はこれに近い状態で灌水して灌水時間を大幅に短縮する器具を提供する。【解決手段】柄１３φの水通パイプ１ｍ位に水源からの圧力水のホースを一方に接続し他方に４０φ×１３φの水通用の異形ソケットを接続この４０φのパイプに４０φの目皿を挿入したものである。１３φの圧力水の方より通水この目皿を通過後に真空無圧になるこれを利用して蛇口全開又はこれに近い状態の水量で灌水する。【選択図】図１
2014158458.tif 000002
【特許請求の範囲】
【請求項１】
本品は水源からのゴムホースを１３φの水通のビニールパイプ（柄に接続し他方を４０φ×１３の異形ソケットを取付４０φのビニールパイプ内に４０φの目皿を挿入するものである。
水通パイプ１３φ１ｍ位（柄）
４０φ×１３の異形ソケット
４０φ目皿
水の方向を変える為のエルボ（４０φ）１ヶ（４０φを標準とする）
但しホースの取付口の違い、水源の水圧の高低の差などによりビニールパイプの口径が変更する場合があることを特徴とする真空式灌水器。
【発明の詳細な説明】
【技術分野】
【０００１】  本発明は、植物に灌水するとき（植木鉢などに）一般では蛇口を少し開栓して（水圧がかからない程度）ホース口より灌水していたものを真空式灌水器にて真空にして蛇口の水量を全開又はこれに近い状態で灌水して灌水時間を大幅に短縮する器具である。
【背景技術】
【０００２】  従来植木鉢などにはゴムホースなどで少量の水を灌水していた。最近では蓮形の撒水器具も発売されているが使用目的が違う。
【先行技術文献】
【特許文献】
【０００３】
【特許文献】  特開
【発明の概要】
【発明が解決しようとする課題】
【０００４】  これは次の様な欠点があった。
（イ）従来の作法は蛇口の開栓を水圧０ｋｇ／ｃｍ２しぼって少量の水で灌水していた。
（ロ）少し圧力の高い水で灌水すると植物の根の廻りの土を洗い流して植物を枯死させるおそれがあった。
（ハ）植物に灌水する時間が長過ぎる。
本発明は以上のような欠点を除く為なされたものである。
【課題を解決するための手段】
【０００５】（イ）本品は器具で真空減圧にして蛇口を全開又これに近い状態で灌水するものである。
（ロ）水量が多いので大幅に灌水時間が短縮できる
（ハ）器具も非常にシンプルな構造にて小形で手軽に老人、女子でも作業が出来る。
本発明は以上のような効果が期待出来る作品である。
【発明の効果】
【０００６】（イ）本品は１３φの水通パイプに水源のゴムホースを接続し４０×１３φの異形ソケットを通して通水４０φのパイプ内に４０φの目皿を挿入したもので目皿付近を水が通るとき圧力水が目皿でさえぎられて自圧の作用で真空無圧になる。
（ロ）全開又はこれに近い状態の水が出るので灌水時間が非常に短縮できる。
（ハ）器具も極めて簡単な構造で小形で手軽にて老人、女子でも作業が出来る。
【図面の簡単な説明】
【０００７】
【図１】
【図２】  本発明の側面図である
【発明を実施するための形態】
【０００８】（イ）本品は柄１３φの水通パイプ１ｍ位に水源からの圧力水のホースを一方に接続し他方に４０φ×１３φの水通用の異形ソケットを接続この４０φのパイプに４０φの目皿を挿入したものである。１３φの圧力水の方より通水この目皿を通過後に真空無圧になるこれを利用して蛇口全開又はこれに近い状態の水量で灌水するものである。
（ロ）水量が多いので灌水時間が大幅に節約出来る。
（ハ）器具も小形で非常にシンプルな構造である為、女子老人でも手軽に作業が出来る。
（ニ）本発明を使用するには水源の蛇口を全開し１３φのパイプの柄の部分を握って作業をする。
本発明は以上のような構造である。
【符号の説明】
【０００９】  水は１３φの柄の部分一端に水源よりのホースを接続し他方を４０×１３φに連絡する（図面右より左へ）４０×１３φソケットを出た所に目皿を設け４０φのエルボを介して灌水する。
【図１】
2014158458.tif 000003
【図２】
2014158458.tif 000004
【手続補正書】
【提出日】平成25年5月10日(2013.5.10)
【手続補正１】
【補正対象書類名】明細書
【補正対象項目名】０００７
【補正方法】変更
【補正の内容】
【０００７】
【図１】  真空式灌水器の使用形態を示す斜視図である。
【図２】  本発明の側面図である。
【手続補正２】
【補正対象書類名】図面
【補正対象項目名】図１
【補正方法】変更
【補正の内容】
【図１】
2014158458.tif 000005
(57)【要約】      （修正有）【課題】永久磁石の磁力線を制御して回転力を生み出す。【解決手段】磁石に吸収も反発もしないで、磁力線を遮断するために、回転板Ｄは、三層構造にして中心の部材は回転磁石Ａ、Ｂからの磁力線を吸収し、中和して尚且つ、上下を薄い磁石で挟み込む。この際、中心部材の鉄は、磁石Ａ、Ｂ、Ｃに吸収される。この力を無くすために、その力と同じ反発力が生ずる様に、磁場と磁力の強さを設定する。後はこの回転板Ｄと固定磁石Ａ、Ｂ、回転磁石Ｃを図の様に配列すれば、ＣはＡ、Ｂに反応して動き、その動きに連動してＤは逆方向に同じ速で回転する。ただしＤがＣに連動して、逆方向に同じ速度で回転する為の回転軸、回転腕歯車などは図面上に記載していない。【選択図】図１
2014158406.tif 000002
【特許請求の範囲】
【請求項１】
図１，図２で表した固定磁石、回転磁石及び回転板の一連の配列構造原理
【発明の詳細な説明】
【技術分野】
【０００１】安値で公害のないエネルギーを作り出す装置
【背景技術】
【０００２】現在エネルギーの源は、おおまかに分けると、水力、火力、風力、太陽光、原子力、地熱等に分類出来るが、それぞれに長所短所が有る。
【発明の概要】
【発明が解決しようとする課題】
【０００３】安全且つ、安値な動力エネルギーを生み出す。
【発明の効果】
【０００４】人類に最良のエネルギーになりえる。
【図面の簡単な説明】
【０００５】    図１、図２は永久磁石の磁力のみで回転運動する基本原理に基づいて、磁石と回転板を円形状に配列した一部分を、直線状に表した２種類の配列形態を表した図である。  回転磁石Ｃは、固定磁石Ａ、Ｂに作用して矢印の方向に動き、それに連動して回転板Ｄは、Ｃの動きの逆方向に同じ速度で回転する。ただし、図面上には、それに必要な回転軸、回転腕、歯車などは記載していない。Ａ・Ｂ          固定磁石Ｃ              回転磁石Ｄ・Ｄ１        回転板【図１】・
【図２】基本配列図
【図３】Ｅ−Ｅ断面図
【図４】Ｆ−Ｆ断面図
【図５】３図Ｄ１の拡大図
2014158406.tif 000003
【発明を実施するための形態】
【０００６】    この原理は磁力線を遮断して、その磁石に吸引も反発もしない物体あれば、磁力線を制御して、回転運動を生み出せる。
【実施例】
【０００７】    図１、図２でも同じだが、回転板Ｄの構造は、図３、図４、図５に表した様に、2014158406.tif 000004
中和させるために鉄系列の金属を使用し、上下を薄い磁石で挟み込む。この際、最も重要な事は中心の鉄は、磁石Ａ・Ｂ・Ｃそれぞれに吸引される。この力を防ぐために、薄い磁石は相対する磁石に、それぞれ吸収される力と同じ反発力を持つように、磁場と磁力を考えて設定する。これで［０００６］で述べた物体が可能になり、これを用いて図１，図２に表した様に、磁石及び回転板を配列すれば、回転磁石Ｃは固定磁石Ａ・Ｂに反応して、矢印の方向に動き、Ｄは逆方向に同じ速度で回転する。  ただし、Ｃの動きに連動してＤが逆方向に回転するため、回転軸、回転腕、歯車などは、図面上には記載していない。
【産業上の利用可能性】
【０００８】  発電や動力エネルギーに可能
【符号の説明】
【０００９】Ａ・Ｂ          固定磁石Ｃ              回転磁石Ｄ・Ｄ１        回転板2014158406.tif 000005
【図１】
2014158406.tif 000006
【図２】
2014158406.tif 000007
【図３】
2014158406.tif 000008
【図４】
2014158406.tif 000009
【図５】
2014158406.tif 000010
【手続補正書】
【提出日】平成25年5月15日(2013.5.15)
【手続補正２】
【補正対象書類名】図面
【補正対象項目名】全図
【補正方法】変更
【補正の内容】
【図１】
2014158406.tif 000011
【図２】
2014158406.tif 000012
【図３】
2014158406.tif 000013
【図４】
2014158406.tif 000014
【図５】
2014158406.tif 000015
(57)【要約】      （修正有）【課題】摩擦板による自動車緊急制動装置【解決手段】自動車底部に可動可能な摩擦体２を装着した摩擦板１を設け、摩擦板には、摩擦係数の高いゴム系の材質の摩擦体を装着し、急ブレーキの時は通常より、より強く、早くブレーキペダルを踏むものであるから、その場合だけ摩擦板が作用するような装置をブレーキペダルに連結し、急ブレーキ時だけ作動、摩擦体が地面７に接触し、その摩擦により、従来のタイヤの摩擦だけの制動距離よりも短い距離で自動車を停止させる事を目的とし、交通事故による死傷者の減少を目的とする。【選択図】図１
2014051260.tif 000002
【特許請求の範囲】
【請求項１】
自動車底部に装備し、ブレーキペダルを踏む事で摩擦板が地面に接触し、その摩擦により自動車を停止させる事を目的とした摩擦体を装着した可動する摩擦板。
【発明の詳細な説明】
【技術分野】
【０００１】本発明は、自動車の急ブレーキ時における制動距離の短縮を目的とした物である。
【背景技術】
【０００２】緊急時における自動車の急ブレーキによる停止はタイヤと地面との摩擦により生じる物である、タイヤの接地面積が広いほど摩擦係数が高くなり、したがって制動距離も短くなるものである。
【発明の概要】
【発明が解決しようとする課題】
【０００３】本発明は、自動車のタイヤ以外に摩擦板を装着する事で地面との摩擦を増加し、急ブレーキ時の制動距離の短縮を目的とした物である。
【課題を解決するための手段】
【０００４】本発明は、自動車の底部分に可動する摩擦板を設け、摩擦板には、摩擦係数の高いゴム系の材質の摩擦体を装着し、急ブレーキ時の場合は通常の操作より、より強く、早くブレーキペダルを踏む物であるから、その場合だけ摩擦板が作動するような装置をブレーキペダルに連結し、急ブレーキ時にはその摩擦板が地面に接触し、タイヤの摩擦と共に自動車を停止させるものであり、制動距離の短縮を目的とする。
【発明の効果】
【０００５】本発明は、自動車の緊急時における制動距離の短縮を目的としている、制動距離の短縮は、交通事故の減少につながり、死傷者の減少となる、急ブレーキをかけた場合、まず、回っているタイヤの回転が停止してから地面との摩擦が始まり、後に自動車本体が停止する、回転しているタイヤが停止するまでの時間がＡとし、タイヤが停止し、地面との摩擦が始まり自動車が停止するまでの時間をＢとすると、通常のタイヤだけの急ブレーキ時における、制動時間は、Ａ＋Ｂであるが、摩擦板装着の場合、摩擦板は回転していないので、Ａの時間は無く，即、地面との摩擦が始まり、タイヤとの共同作用より、より、時間の短縮、制動距離の短縮につながる事になる、よって、自動車における、摩擦板の装着は、死傷者と事故の減少につながり、産業、経済の成長にも貢献できるものである。
【図面の簡単な説明】
【０００６】
【図１】自動車前部本発明使用時断面図
【図２】摩擦板斜視図
【発明を実地するための形態】
【実地例】
【０００７】自動車底部に支点６を持った摩擦板１を装着し、圧力空気で伸縮作動するエアーシリンダー３を連結させる、通常走行時は摩擦板１は自動車底部に密着するような形態にあり、緊急時、ブレーキペダルを通常よりも強く、早く踏み込む事でブレーキペダルに連結したセンサーでスイッチが入り、エアーシリンダー３が摩擦板１を押し下げ摩擦体２を地面７に接触させ、その摩擦により自動車を停止させることになる
【産業上の利用可能性】
【０００８】交通事故では数秒の差で、事故になる、ならないの場合が多く、いかに早く自動車を停止させるかにかかっており、制動距離の短縮を目的とした本発明は死傷者の減少や、財産の保護に通じ、産業、経済に貢献できるものである。
【符号の説明】
【０００９】１      摩擦板
２      摩擦体
３      エアーシリンダー
４      エアーコンプレッサー
５      圧力容器
６      摩擦板支点
７      地面
【図１】
2014051260.tif 000003
【図２】
2014051260.tif 000004
(57)【要約】【課題】自転車を電車などで運ぶ場合、分解して輪行袋に入れて運ぶ必要がある。分解した前輪を利用し、簡単な作業にて組立てが出来、軽い力で自転車を運ぶことができる、前輪取付け部品を提供する。【解決手段】  自転車の前輪（２）を取り外し、後輪（３）の側方に、前輪取付け部品（１）を使用して前輪（１）を取付け、両輪の接地回転により、安定して容易に押して運べる。また、後変速機（４）を後輪（２）と前輪（３）で挟み込むことで外部からの衝撃を受けにくい。これらのことを特徴とする。【選択図】図１
2014051261.tif 000002
【特許請求の範囲】
【請求項１】
自転車の取り外した前輪（２）を、後輪の側方に回転可能な形で取り付け、後輪と前輪を接地回転させて自転車の車体を押し歩き運搬するための前輪取付け部品。
【請求項２】
後輪車軸固定用ナットと一体型の請求項１に記載の前輪取付け部品（１）。
【請求項３】
専用の前輪クイックナット（１２）を組み合わせて、取付けを行うことを特徴とする請求項１に記載の前輪取付け部品（１）。
【請求項４】
後輪クイックナットにより右エンド金具（１５）に支持されたことを特徴とする請求項１に記載の前輪取付け部品。
【請求項５】
前記の後輪（３）と前輪（２）のそれぞれの回転軸線は、同一線上であることを特徴とする請求項１に記載の前輪取付け部品。
【請求項６】
前記の後輪（３）と前輪（２）のそれぞれの回転軸線を多少のＶ字状（０から１０度）にし、重心を安定させることを特徴とする請求項１に記載の前輪取付け部品。
【請求項７】
前記の後輪（３）と前輪（２）のそれぞれの回転軸線を多少の偏芯（０から５ｃｍ）させ、重心を安定させることを特徴とする請求項１に記載の前輪取付け部品。
【請求項８】
取り外した前輪（２）を後輪（３）の側方に取付ける側を右側とし、後変速機（４）が、外部からの衝撃を受けにくいこと特徴とする請求項１に記載の前輪取付け部品。
【請求項９】
前記の状態で輪行袋（３２）を被せ、地面側は車輪の一部が露出され、輪行を行うための、請求項１に記載の前輪取り付け部品。
【請求項１０】
ペダルをペダル固定紐（９）でフレームに固定し、後輪フリーハブの働きで回転方向を前方回転のみとし、壁への立てかけができることを特徴とする請求項１に記載の前輪取付け部品。
【発明の詳細な説明】
【技術分野】
【０００１】  本発明は、自転車輪行運搬時の前輪取付け部品に関する。
【背景技術】
【０００２】  自転車輪行運搬時に、後輪と前輪等を接地回転して運搬できるようにした折り畳み自転車が知られている。このような折り畳み自転車は、運搬が容易である。（例えば、特許文献１参照。）【０００３】  金属及び樹脂からなる部品を自転車のフレームに取り付け、それに自転車から外した前後車輪をフレームの左右から挟んだ状態で取り付ける、自転車をコンパクトに分解して転がせて運べる輪行器具が知られている。（例えば、特許文献２参照。）
【先行技術文献】
【特許文献】
【０００４】
【特許文献１】  特開２００８−１９５４０１号公報
【特許文献２】  実用新案登録第３１２８２８３号公報
【発明の概要】
【発明が解決しようとする課題】
【０００５】  自転車を電車などで運ぶ場合、分解して輪行袋に入れて運ぶ必要があるが、女性など力の弱い人には担いで運ぶのが困難という欠点があった。【０００６】  タイヤにより転がせる折り畳み自転車が市場にあるが、折り畳むための構造により、部品が多く、重量や強度の面で普通の自転車に劣る。【０００７】  金属及び樹脂からなる部品を自転車のフレームに取り付け、それに自転車から外した前後車輪をフレームの左右挟んだ状態で取り付ける、自転車をコンパクトに分解して転がせて運べる輪行器具は、後輪を取り外すのに手間がかかり、かつ後輪を取り外すことで、後変速機が、外部からの衝撃を受けやすい状況になり好ましくない。【０００８】本発明は以上のような欠点をなくすためになされたものである。
【課題を解決するための手段】
【０００９】  本発明は、自転車の前輪（２）を取り外し、後輪（３）の側方に取付け両輪の接地回転により、安定して容易に押して運べる。また、後変速機（４）を後輪（２）と前輪（３）で挟み込むため後変速機（４）が外部からの衝撃を受けにくい。これにより上記課題を解決するものである。
【発明の効果】
【００１０】  本発明による前輪取付け部品（Ａ）（１）または前輪取付け部品（Ｂ）（２１）により、簡単な作業にて組立てが出来、安定して軽い力で自転車を運ぶことができる。自転車を立てた形となり、押し歩き時や電車内での占用面積を少なくできる。後変速機を守ることができる。前輪取付け部品（Ａ）（１）または前輪取付け部品（Ｂ）（２１）はポケットに入る大きさで使用しないときの収納性がよい。
【図面の簡単な説明】
【００１１】
【図１】  本発明の実施形態を示す正面図。
【図２】  本発明の実施形態を示す側面図。
【図３】  図２に示す３−３断面図。
【図４】  前輪取付け部品（Ａ）斜視図。
【図５】  図２に示す５−５断面図。
【図６】  前輪取付け部品（Ｂ）斜視図。
【図７】  本発明の運搬状況正面図。
【図８】  本発明の運搬状況側面図。
【図９】  本発明の立てかけの状況図。
【図１０】  本発明の床置の状況図。
【発明を実施するための形態】
【００１２】自転車の前輪（２）を取り外し、前輪取付け部品（Ａ）（１）または前輪取付け部品（Ｂ）（２１）を使用して、後輪（３）の側方に取付ける。サドル（５）を１８０度回転させる。自転車をフロントを上に向け立てた状態で、上から輪行袋を被せる。
【００１３】運搬方法は図７および図８のように、袋の生地の上からサドル（５）をつかみ、立てた状態のまま両輪を転がして自転車を運搬する。
【００１４】電車車内では、図９のように壁に立てかけた状態で置く。壁がないところでは、図１０のように両輪とサドル（５）の３点を接地させ置く。
【００１５】  ＪＲ等電車で自転車を輪行する場合、駅建物内や埒内を楽に運搬でき、乗り物内でも少ない占用面積で置く事が可能である。
【符号の説明】
【００１６】  １  前輪取付け部品（Ａ）
２  前輪
３  後輪
４  後変速機
５  サドル
６  ハンドル
７  スペーサー
８  ハンドル固定紐
９  ペダル固定紐
１０  前輪ハブ
１１  前輪クイック軸
１２  前輪クイックナット
１３  後輪ハブ
１４  後輪クイック軸
１５  右エンド金具
１６  左エンド金具
１７  スポーク
１８  スプロケット
１９  前輪クイックレバー
２０  後輪クイックレバー
２１  前輪取付け部品（Ｂ）
３１  自転車
３２  輪行袋
３３  壁
３４  地面
【図１】
2014051261.tif 000003
【図２】
2014051261.tif 000004
【図３】
2014051261.tif 000005
【図４】
2014051261.tif 000006
【図５】
2014051261.tif 000007
【図６】
2014051261.tif 000008
【図７】
2014051261.tif 000009
【図８】
2014051261.tif 000010
【図９】
2014051261.tif 000011
【図１０】
2014051261.tif 000012
(57)【要約】【課題】限られた建物スペースを有効活用することができるエレベーターの釣合いおもりを提供すること。【解決手段】釣合いおもり２を床２ｃ、天井２ａ、側板２ｂを備えた構造とする。また、この釣合いおもり２に扉５ａ、５ｂを備えた構造とする。また、昇降路に面した建物壁面に扉８ａ〜８ｄを備え、建物壁面の扉８ａ〜８ｄは前記釣合いおもり２に備えた扉５ａ、５ｂと係合する構造とする。【選択図】図１
2014051378.tif 000002
【特許請求の範囲】
【請求項１】
床、天井、側板を備えた構造としたことを特徴とするエレベーターの釣合いおもり。
【請求項２】
前記釣合いおもりに扉を備えた構造としたことを特徴とする請求項１に記載のエレベーターの釣合いおもり。
【請求項３】
昇降路に面した建物壁面に扉を備え、前記建物壁面に備えた扉は上記釣合いおもりに備えた扉と係合する構造としたことを特徴とする請求項１または請求項２に記載のエレベーターの釣合いおもり。
【発明の詳細な説明】
【技術分野】
【０００１】
本発明は、エレベーターの構造に係り、特にエレベーターの釣合いおもりに関するものである。
【背景技術】
【０００２】
従来の土レベーターは巻き上げ機の綱車に掛け渡したしたロープの一方をかご室に接続し、他方を釣合いおもりに接続して吊設し、巻き上げ機の綱車を回転させることによりかご室の昇降を行なっている。釣合いおもりは一般的にぱ鋼製の材料にてかご室の重量と質量が釣り合うように構成されている。この釣合いおもりを有効活用する方法として、巻き上げ機を釣合いおもりとして兼用する方法が公表されている（特許文献１)。
【先行技術文献】
【特許文献】
【０００３】
【特許文献１】実開昭５８−１８４４８０号公報
【発明の概要】
【発明が解決しようとする課題】
【０００４】
上記のように巻き上げ機をおもりとして兼用する方法では、巻き上げ機や制御盤を収納する機械室を不要とできるが、巻き上げ機や制御盤を昇降路内に設置できる現在のエレベ一夕一においては、限られた建物スペ−スを有効活用するという目的を達成できない。
【０００５】
本発明は上記のような課題を解決するためになされたもので、限られた建物スペースを有効活用することができるエレベーターの釣合いおもりを提供することを目的とする。
【課題を解決するための手段】
【０００６】
本発明のエレベーターの釣合いおもりは、床、天井、側板を備えていることを特徴とする。
【０００７】
また、前記釣合いおもりに扉を備えた構造としたことを特徴とする。
【０００８】
また、昇降路に面した建物壁面に扉を備え、前記建物壁面に備えた戸は、上記釣合いおもりに備えた扉と係合する構造としたことを特徴とする。
【発明の効果】
【０００９】
上記のように、釣合いおもりに床、天井、側板を備えた構造としたことにより、釣合いおもり室内に荷物を収納することができるといった効果が得られる。
【００１０】
また、前記釣合いおもりに扉を備えた構造としたことにより、前記釣合いおもり室内に収納した荷物が荷崩れを起こした際に、荷物が昇降路内を転落することを防止できるといった効果が得られる。
【００１１】
また、昇降路に面した建物壁面に扉を備え、前記建物壁面に備えた戸は、前記釣合いおもりに備えた扉と係合する構造としたことにより、荷物の出し入れを安全、且つ、簡便に行なうことができるといった効果が得られる。
【図面の簡単な説明】
【００１２】
【図１】本発明の一実施形態によるエレベーターの釣合いおもりの構成図である。
【図２】図１の釣合いおもりの構造図であり、扉を閉じた状況を示す図である。
【図３】図１の釣合いおもりの構造図であり、扉を開いた状況を示す図である。
【図４】図１の昇降路に面した建物壁面の構造図である。
【発明を実施するための形態】
【００１３】
図１はこの発明の一実施形態によるエレベーターの釣合いおもりの構成図である。      図１において、１はエレベーターのかご室、２は本発明によるエレベーターの釣合いおもり、３は巻き上げ機の綱車、４はロープを示す。
【００１４】
このような構成において、巻き上げ機の綱車３に掛設したロープ４の一方をかご室１に、他方を釣合いおもり２に接続して吊設し、巻き上げ機の綱車３を回転させることによりかご室１工の昇降を行なう。
【００１５】
図２は釣合いおもり２に設けた各構造物の図である。
【００１６】
図２において、２ａは天井、２ｂは側板、２ｃは床、２ｄは背面板、５ａは左扉、５ｂは右扉であり、左扉５ａと右扉５ｂとは閉じられている。
【００１７】
６ａおよび６ｂは後述する建物壁面に設けた扉と釣合いおもりの左右扉５ａ、５ｂとを係合させる釣合いおもり側の係合子である。
【００１８】
釣合いおもり２は、天井２ａと側板２ｂと床２ｃと背面板２ｄとで構成することで箱状の形状となり、内部に荷物等を収納することが可能である。
【００１９】
また、釣合いおもり２に左右扉５ａ、５ｂを設けたことにより、扉を閉めた状態では釣合いおもり２内の荷物が荷崩れした場合においても、荷物が昇降路内に転落することを防止できる。
【００２０】
図３は釣合いおもり２に設けた左扉５ａと右扉５ｂとを開いた状況を示す図である。
【００２１】
図４は昇降路に面した建物壁面の構査図である。
【００２２】
図４において、７ａは１階の建物壁面に設けた枠、７ｂは枠７ａと同様に２階の建物壁面に設けられた枠、８ａは１階に設けた左扉、８ｂは左扉８ａ同様に１階に設けた右扉、８ｃは２階に設けた左扉、８ｄは左扉８ａ同様に２階に設けた右扉である。
【００２３】
扉８ａ〜８ｄに対しては、扉の昇降路側に扉側係合子９ａ〜９ｄが設けてある。
【００２４】
図４において、釣合いおもり２は２階の位置に停止しており、右扉８ｄを開くと右扉８ ｄに設けた扉側係合子９ｂと図２に示す係合子６ｂとが係合しているため釣合いおもり２の右扉５ｂが連動して開く。同様に２階左扉８ｄを開くと前記２階左扉に設けた係合子９ ａと図２に示す釣合いおもり側係合子６ａとが係合しているため、２階左扉８ｄと釣合いおもりの左扉５ａとが連動して開く。
【００２５】
また、扉８ａ〜８ｄに図示しない鍵を設けることにより誤って扉を開き昇降路内に人や荷物が転落することを防ぐことができる。
【符号の説明】
【００２６】
１  エレベーターのかご室
２  エレベーターの釣合いおもり
２ａ  天井
２ｂ  側板
２ｃ  床
２ｄ  背面板
３  巻き上げ機の綱車
４  ロープ
５ａ  左扉
５ｂ  右扉
６ａ、６ｂ  釣合いおもり側係合子
７ａ  １階枠
７ｂ  ２階枠
８ａ  １階左扉
８ｂ  １階右扉
８ｃ  ２階右扉
８ｄ  ２階左扉
９ａ、９ｂ、９ｃ、９ｄ  扉側係合子
【図１】
2014051378.tif 000003
【図２】
2014051378.tif 000004
【図３】
2014051378.tif 000005
【図４】
2014051378.tif 000006
(57)【要約】      （修正有）【課題】利尿時に於ける男性器の出し入れが容易な男性用ズボンの提供。【解決手段】男性用ズボンにおける前開き用ファスナー５が、股上部における前股ぐり部分６の内、左右両前身頃１、２の直線部分７から湾曲した小股８に至る部分にまで設けられており、前開き用ファスナー５が、前股ぐり部分６と後股ぐり部分１０との継ぎ部を超えて後股ぐり部分１０の湾曲した小股９に至る部分まで設けられており、老人や幼児や、さらに股上の短いズボンを着用する若者において、利尿時に於ける男性器の出し入れが容易な男性用ズボン。【選択図】図１
2014051764.tif 000002
【特許請求の範囲】
【請求項１】
前開き用ファスナーが、股上部における前股ぐり部分の内、左右両前身頃の直線部分から湾曲した小股に至る部分にまで設けられていることを特徴とする男性用ズボン。
【請求項２】
請求項１に記載の男性用ズボンにおいて、
前開き用ファスナーが、前股ぐり部分と後股ぐり部分との継ぎ部を超えて後股ぐり部分の湾曲した小股に至る部分まで設けられていることを特徴とする男性用ズボン。
【発明の詳細な説明】
【技術分野】
【０００１】
本発明は、ファスナーによる前開き部を有する男性用ズボンに関する。
【背景技術】
【０００２】
男性用ズボンには、利尿の際にズボンを脱がなくてすむように、ファスナーにより前開きが可能な構造になっている。（例えば、特許文献１参照。）
【先行技術文献】
【特許文献】
【０００３】
【特許文献１】特開２０１１−３２５８５号公報
【発明の概要】
【発明が解決しようとする課題】
【０００４】
しかしながら、従来の男性用ズボンにあっては、特許文献１の図１に示すように、前開き用ファスナーが股上部（前股ぐり）の内、左右両前身頃の直線部分にのみ縫い付けられたものであったため、開きが不十分であり、このため、特に老人や幼児等にあっては、利尿時に男性器の出し入れに苦労するという問題があった。
また、特に、股上の短い若者用ズボンにあっては、ファスナーを開いただけでは、開口部が狭く男性器の出し入れは極めて困難であり、このため、ベルトを外し、ファスナーを開き、ズボンを少し下げた状態で利尿している若者の姿を多く目にする。
【０００５】
本発明の解決しようとする課題は、利尿時に於ける男性器の出し入れが容易な男性用ズボンを提供することにある。
【課題を解決するための手段】
【０００６】
上記課題を解決するため請求項１記載の男性用ズボンは、
前開き用ファスナーが、股上部における前股ぐり部分の内、左右両前身頃の直線部分から湾曲した小股に至る部分にまで設けられていることを特徴とする手段とした。
【０００７】
また、請求項２記載の男性用ズボンは、請求項１記載の男性用ズボンにおいて、前開き用ファスナーが、前股ぐり部分と後股ぐり部分との継ぎ部を超えて後股ぐり部分の湾曲した小股に至る部分まで設けられていることを特徴とする手段とした。
【発明の効果】
【０００８】
請求項１記載の男性用ズボンでは、上述のように、股上部における前股ぐり部分の内、左右両前身頃の直線部分から湾曲した小股に至る部分まで設けられることで、利尿時における男性器の出し入れが容易になるという効果が得られる。
【０００９】
請求項２記載の男性用ズボンでは、上述のように、前股ぐり部分と後股ぐり部分との継ぎ部を超えて後股ぐり部分の湾曲した小股に至る部分まで設けられることで、利尿時における男性器の出し入れがさらに容易になる。
【図面の簡単な説明】
【００１０】
【図１】実施例１の男性用ズボンの型紙を示す展開図であり、（イ）は左前身頃、（ロ）は左後身頃、（ハ）は右後身頃、（ニ）は右前身頃を示す。
【発明を実施するための形態】
【００１１】
以下にこの発明の実施例を図面に基づいて説明する。
【実施例１】
【００１２】
まず、この実施例１の男性用ズボンを図１の型紙に基づいて説明する。
この男性用ズボンは、左前身頃１と、右前身頃２と、左後身頃３と、右後身頃４と、前開き用ファスナー５と、を主な構成として備えている。
【００１３】
また、図において、６は股上部における前股ぐり部分、７は前股ぐり部分６の内左右両前身頃１、２の直線部分、８は左右両前身頃１、２の湾曲した小股の部分、９は左右両後身頃３、４の湾曲した小股の部分、１０は股上部に於ける後股ぐり部分である。
【００１４】
さらに詳述すると、前記ファスナー５は、股上部における前股ぐり部分６の内、左右両前身頃１、２の直線部分７から湾曲した小股８に至る部分にまで縫い付けられている。
【００１５】
次に、この実施例１の作用・効果を説明する。
この実施例１の男性用ズボンにあっては、上述のように、ファスナー５が、股上部における前股ぐり部分６の内、左右両前身頃１、２の直線部分７から湾曲した小股８に至る部分にまで縫い付けられることで、小脇８部分まで大きく前を開くことができ、これにより、ベルトを外すことなしに、利尿時における男性器の出し入れが容易に行えるようになるという効果が得られる。
【００１６】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００１７】
この実施例２は、実施例１における男性用ズボンの変形例を示すものであり、前開き用ファスナー５が、前股ぐり部分６と後股ぐり部分１０との継ぎ部Ｔを超えて後股ぐり部分１０の湾曲した小股９に至る部分まで設けられている点で、前記実施例１とは相違したものである。
【００１８】
従って、この実施例２では、ファスナー５により、前股ぐり部分６と後股ぐり部分１０との継ぎ部Ｔを超えて後股ぐり部分１０の湾曲した小股９に至る部分まで大きく開くことができるため、利尿時における男性器の出し入れがさらに容易になるという追加の効果が得られる。
【００１９】
以上本実施例を説明してきたが、本発明は上述の実施例に限られるものではなく、本発明の要旨を逸脱しない範囲の設計変更等があっても、本発明に含まれる。
【符号の説明】
【００２０】
１  左前身頃
２  右前身頃
３  左後身頃
４  右後身頃
５  前開き用ファスナー
６  前股ぐり部分
７  直線部分
８  小股（前）
９  小股（後）
１０  後股ぐり部分
【図１】
2014051764.tif 000003